(57)【要約】【課題】接続部材の接触不良や、ユニット収容時におけるコネクタの変形及び破損等の不具合を解消させ、不具合が生じてもその発生箇所を特定することができる電子機器を提供する。【解決手段】複数のユニット１１、２１と、複数のユニットを収容する架体（架筐体）２とを備える電子機器１であり、複数のユニットの各々は、背面に導電部３０を備え、架体は、複数のユニットの各々の導電部を縦断接続するバックボード２０を備え、バックボードは、複数のユニットの各々の導電部と直接接触する接触部を有する電子機器。各収容部において、バックボードは複数の接触部を有し、架体は、複数の接触部における各々の電気的な接続状況を表示する表示部（表示ランプ）１３を複数備える。各収容部でのバックボードの複数の接触部を収容部毎に各々異なる様式で配置し、各ユニットの背面には、バックボードの複数の接触部の異なる配置様式に対応するように導電部を配置する。【選択図】図８
2014116525.tif 000002
【特許請求の範囲】
【請求項１】
複数のユニットと、該複数のユニットを収容する複数の収容部を有する架体とを備える電子機器であって、
前記複数のユニットの各々は、背面に導電部を備え、
前記架体は、前記複数のユニットの各々の導電部を縦断接続するバックボードを備え、
該バックボードは、前記複数のユニットの各々の導電部と直接接触する接触部を有することを特徴とする電子機器。
【請求項２】
前記各収容部において、前記バックボードは複数の接触部を有し、
前記架体は、該複数の接触部における各々の電気的な接続状況を表示する表示部を複数備えることを特徴とする請求項１に記載の電子機器。
【請求項３】
前記各収容部における前記バックボードの複数の接触部は、該収容部毎に各々異なる様式で配置され、
前記各ユニットの背面には、前記バックボードの複数の接触部の異なる配置様式に対応するように前記導電部が配置されることを特徴とする請求項２に記載の電子機器。
【請求項４】
前記導電部は、前記バックボード側に突出する複数の突出部を備え、
前記バックボードは、前記導電部の複数の突出部に対応する複数の接触部を備え、
前記複数の突出部の各々の先端が前記バックボードの複数の接触部の各々に直接接触することを特徴とする請求項１、２又は３に記載の電子機器。
【請求項５】
前記導電部の複数の突出部の各々は、前記ユニットの収容方向とは反対方向に移動可能であり、
該突出部が前記バックボードの接触部に押圧された際に、該突出部に対して該ユニットの収容方向とは反対方向に働く力を吸収する弾性部材を備えることを特徴とする請求項４に記載の電子機器。
【請求項６】
前記架体の収容部毎に設けられ、該各収容部に収容される前記各ユニットを、該収容部の収容方向とは反対方向に付勢する付勢手段と、
前記ユニットが該付勢手段によって付勢された状態で、該ユニットを固定する固定手段とを備えることを特徴とする請求項１乃至５のいずれかに記載の電子機器。
【請求項７】
前記固定手段は、前記ユニットの収容方向に延設され、少なくとも１つの凸部を有して前記架体に回転可能に固定される回転軸と、該回転軸の端部に連結されるレバーと、前記ユニットの側面に形成される少なくとも１つの凹部とで構成され、
前記レバーと共に前記回転軸が回転すると、前記凸部が前記凹部に嵌合して前記ユニットを固定することを特徴とする請求項６に記載の電子機器。
【発明の詳細な説明】
【技術分野】
【０００１】
本発明は、制御部や電源として機能する複数のユニットと、複数のユニットを収容してユニット間を導通させる架体とを備える電子機器に関する。
【背景技術】
【０００２】
従来、上記ユニットと架体等は、ケーブルを介して電気的に接続されていた。しかし、装置の小型化や、組立作業の簡易化のため、特許文献１には、ユニットをケーブルではなくコネクタを介して筐体と電気的に接続した電子機器が開示されている。
【先行技術文献】
【特許文献】
【０００３】
【特許文献１】特開２００３−２２４８７１号公報
【発明の概要】
【発明が解決しようとする課題】
【０００４】
しかし、上記従来の技術においては、電子機器を組み立てる際のケーブルの接続ミスや、半田付け不良、またコネクタ嵌合部の不良や、破損等により、ケーブルやコネクタ等の接続部材の接触不良が生じる虞があるという問題があった。
【０００５】
また、ユニットを架体に収容する際、コネクタの取付位置がずれている場合等には、ユニットと架体とを接続することができない虞があり、たとえ接続できたとしてもコネクタが変形したり、破損する虞があるという問題があった。
【０００６】
さらに、上記接続部材の接触不良や、ユニット収容時におけるコネクタの変形及び破損等の不具合が生じた場合には、不具合が生じた位置を特定することができないという問題があった。
【０００７】
そこで、本発明は、上記従来の技術における問題点に鑑みてなされたものであって、接続部材の接触不良や、ユニット収容時におけるコネクタの変形及び破損等の不具合に関する問題を解消し、また、たとえ不具合が生じても、その発生箇所を特定することが可能な電子機器を提供することを目的とする。
【課題を解決するための手段】
【０００８】
上記目的を達成するため、本発明は、複数のユニットと、該複数のユニットを収容する複数の収容部を有する架体とを備える電子機器であって、前記複数のユニットの各々は、背面に導電部を備え、前記架体は、前記複数のユニットの各々の導電部を縦断接続するバックボードを備え、該バックボードは、前記複数のユニットの各々の導電部と直接接触する接触部を有することを特徴とする。
【０００９】
本発明によれば、ユニットの背面の導電部がバックボードの接触部に直接接触するため、ユニットと架体の間にケーブルやコネクタ等の接続部材を介在させる必要がなく、接続部材の接触不良が生じる虞がなく、コネクタの変形及び破損等の不具合に関する問題を解消することができる。また、導電部とバックボードの接触部とを介して送受される信号が外部から受けるノイズ等の対策もし易くなる。
【００１０】
上記電子機器において、前記各収容部において、前記バックボードは複数の接触部を有し、前記架体は、該複数の接触部における各々の電気的な接続状況を表示する表示部を複数備えることができる。これによって、電気的な接続不良が生じた箇所を特定することができ、該不具合に迅速に対応することができる。
【００１１】
また、前記各収容部における前記バックボードの複数の接触部を該収容部毎に各々異なる様式で配置し、前記各ユニットの背面には、前記バックボードの複数の接触部の異なる配置様式に対応するように前記導電部を配置することができる。これにより、作業者が誤った収容位置にユニットを収容することを防止することができる。
【００１２】
上記電子機器において、前記導電部は、前記バックボード側に突出する複数の突出部を備え、前記バックボードは、前記導電部の複数の突出部に対応する複数の接触部を備え、前記複数の突出部の各々の先端が前記バックボードの複数の接触部の各々に直接接触するように構成することができる。
【００１３】
また、前記導電部の複数の突出部の各々は、前記ユニットの収容方向とは反対方向に移動可能であり、該突出部が前記バックボードの接触部に押圧された際に、該突出部に対して該ユニットの収容方向とは反対方向に働く力を吸収する弾性部材を備えることができる。これによって、ユニットの収容時における導電部及びバックボードへの負荷を軽減し、導電部及びバックボードの変形及び破損等を回避することができる。
【００１４】
上記電子機器において、前記架体の収容部毎に設けられ、該各収容部に収容される前記各ユニットを、該収容部の収容方向とは反対方向に付勢する付勢手段と、前記ユニットが該付勢手段によって付勢された状態で、該ユニットを固定する固定手段とを備えるように構成することができる。
【００１５】
また、前記固定手段は、前記ユニットの収容方向に延設され、少なくとも１つの凸部を有して前記架体に回転可能に固定される回転軸と、該回転軸の端部に連結されるレバーと、前記ユニットの側面に形成される少なくとも１つの凹部とで構成され、前記レバーと共に前記回転軸が回転すると、前記凸部が前記凹部に嵌合して前記ユニットを固定することができる。これにより、従来のねじ止め式に比較して組立が容易で、導電部及びバックボードの接触を確実に維持することができる。
【発明の効果】
【００１６】
以上のように、本発明によれば、接続部材の接触不良や、ユニット収容時におけるコネクタの変形及び破損等の不具合を解消させ、不具合が生じても、その発生箇所を特定することなどが可能な電子機器を提供することができる。
【図面の簡単な説明】
【００１７】
【図１】本発明に係る電子機器の一実施の形態を示す正面図である。
【図２】図１に示す電子機器の背面図である。
【図３】図１に示す電子機器のユニットの接続部の動作を説明するための図であって、（ａ）はユニットの収容前を、（ｂ）はユニットの収容後に接続部ばね及び接続ピンばねが縮んだ状態を各々示す。
【図４】図１に示す電子機器のバックボードに配置される接触部等を示す正面図である。
【図５】図１に示す電子機器の部分斜視図であって、架筐体の側板を外した状態を示す。
【図６】図１に示す電子機器の架筐体に回転可能に装着されるレバー及びシャフト等を示す斜視図である。
【図７】図１に示す電子機器のユニットの斜視図である。
【図８】図１に示す電子機器のユニットと、架筐体の接続動作を説明するための図であって、（ａ）は接続前を、（ｂ）は接続時を各々示す。
【図９】図１に示す電子機器のユニットを、図６に示すレバー及びシャフト等によって架筐体の収容部内に固定する動作を説明するための図であって、（ａ）は固定前を、（ｂ）は固定後を各々示す。
【図１０】図１に示す電子機器のユニットを、図６に示すレバー及びシャフト等によって架筐体の収容部内に固定する動作を説明するための図であって、（ａ）は固定前を、（ｂ）は固定後を各々示す。
【発明を実施するための形態】
【００１８】
次に、本発明の実施の形態について図面を参照しながら詳細に説明する。尚、以下の説明においては、ユニットと架筐体（架体）とを備える電子機器について説明する。
【００１９】
図１及び図２は、本発明に係る電子機器の一実施の形態を示し、この電子機器１は、複数の収容部３（３Ａ〜３Ｆ）を有する架筐体２と、架筐体２の４つの収容部３Ａ〜３Ｄ内に個別に収容される４つのユニット１１（１１Ａ〜１１Ｄ）と、２つの収容部３Ｅ、３Ｆに個別に収容される２つの電源ユニット２１（２１Ａ、２１Ｂ）等で構成される。
【００２０】
各ユニット１１は、図１に示すように、ユニット１１と架筐体２との間、及びユニット１１同士の情報の授受を行う複数のパッケージ１２を備える。
【００２１】
このユニット１１の各々は、図３に示すように、背面板３２と、背面板３２を貫通するように配置された矩形筐体状の接続部（導電部）３０と、接続部３０に固定された矩形状のばね保持部４２と、背面板３２とばね保持部４２との間に介装されてユニット１１の収容方向Ｘに伸縮自在に配置される接続部ばね３３と、接続部３０に収容された複数の接続ピン（導電部の突出部）４１（図示例では、４×４の１６本）と、各々の接続ピン４１に取り付けられてユニット１１の収容方向Ｘに伸縮自在に配置される接続ピンばね３４とを備える。この接続部３０は、架筐体２の背面に配置されるバックボード（プリント基板）２０の接触部２５（図２参照）と同数、すなわち１つのユニット１１に３つずつ設けられる。また、図７に示すように、ユニット１１の両側部には被ガイド部１５が設けられる。
【００２２】
バックボード２０には、各々の収容部３内において、図４に示す接触部２５が３つずつ配置され、各々の接触部２５は、上記ユニット１１のばね保持部４２を案内して収容する角筒状の接触部ガイド３５に囲繞されると共に、複数の接触点２５ａが存在する。このバックボード２０によって複数のユニット１１の各々の接続部３０（接続ピン４１）を縦断接続する。
【００２３】
架筐体２の前面には、図１に示すように、接続状況を確認するためのランプ（表示部）１３が設けられ、この表示ランプ１３は、図５に示すように、バックボード２０上に配置される高輝度ＬＥＤ２２（図２では不図示）にて判定された接触／非接触の判定結果が、架筐体２内の光ファイバー等の光伝達部材２３を介してこの表示ランプ１３に表示される。これにより、ユニット１１の左右どちらの接続部３０が電気的に接続されているか否か、すなわち接続部３０のすべての接続ピン４１の各々とバックボード２０の接触部２５の接触点２５ａの各々とが電気的に接続されているか否かを迅速に判断することが可能となる。
【００２４】
架筐体２の前面に、複数段にわたって配置される一対のレバー１４は、図６に示すように、シャフト１８に連結され、このシャフト１８に設けられる２つの凸部１７と、ユニット１１の凹部１６（図７参照）とによって、ユニット１１を架筐体２の背面方向に付勢しながら固定するために設けられる。図示を省略するが、架筐体２の各々の収容部３の背面側には、ユニット１１を前面側に押圧するばね等の弾性手段が設けられる。
【００２５】
次に、上記構成を有する電子機器１の組立動作について、図１〜図１０を参照しながら説明する。
【００２６】
ユニット１１の両側部に設けた被ガイド部１５（図７参照）を、架筐体２のガイドレール（不図示）に当接させながら、図１及び図８（ａ）に示すように、ユニット１１を架筐体２の収容部３内にＸ方向に挿入し、ユニット１１の接続部３０の接続ピン４１をバックボード２０の接触部２５の接触点２５ａに当接させる。
【００２７】
接続ピン４１を接触点２５ａに当接させた状態から、ユニット１１を、さらに収容部３の奥に挿入すると、図８（ｂ）に示すように、接続部ばね３３及び接続ピンばね３４が収縮し、接続部３０及び接続ピン４１に加わる力を吸収する。
【００２８】
ユニット１１の挿入後は、図１、図６及び図７に示すように、架筐体２の前面右側に位置するレバー１４を上向きから左向きに回転させることにより、図９（ａ）及び図１０（ａ）に示す状態から、図９（ｂ）及び図１０（ｂ）に示すように、シャフト１８の凸部１７を、ユニット１１の凹部１６に嵌合させ、凸部１７の曲面部１７ａを利用してユニット１１を収容部３内の収容方向Ｘへ付勢しながら固定することができる。これにより、ユニット１１を架筐体２に付勢した状態で固定することができる。尚、架筐体２の前面左側に位置するレバー１４については、上記動作とは逆に右方向に回転させてユニット１１の固定を行う。
【００２９】
図５に示すように、ユニット１１の接続部３０と、バックボード２０の接触部２５との接触状況は、バックボード２０上（図２では不図示）の高輝度ＬＥＤ２２にて判定される。この高輝度ＬＥＤ２２の点灯／消灯と、接続ピン４１と接触点２５ａとの接続／非接続とを関連付け、高輝度ＬＥＤ２２の光を、光伝達部材２３を介して架筐体２の前面の表示ランプ１３へ伝達させることで、作業者は目視によりすべての接続ピン４１の各々と接触点２５ａとが接続されていることを容易に確認することができる。
【００３０】
以上のように、本発明によれば、ケーブルやコネクタ等の接続部材を介することなく、直接接続ピン４１と接触点２５ａとを接触させるため、接触不良が生じる虞がない。また、接続部ばね３３及び接続ピンばね３４を設けて負荷を吸収するため、接続ピン４１、接続部３０及び接触部２５の破損を防止することができる。さらに、接続ピン４１を接触点２５ａ方向に付勢することで、接続ピン４１と接触点２５ａを確実に維持することができる。
【００３１】
尚、架筐体２の各収容部３Ａ〜３Ｄに設けられる複数の接触部２５を、収容部３Ａ〜３Ｄ毎に各々異なる様式で配置し、各ユニット１１の背面板３２には、収容される収容部３Ａ〜３Ｄの接触部２５の配置様式に対応するように、接続部３０を配置することができる。例えば、図２では、上位の収容部３Ａ、３Ｂは、右側上方の接触部２５の上辺がパッケージ１２の天井部と高さ方向に同じ位置にあるが、下位の収容部３Ｃ、３Ｄは、右側上方の接触部２５の上辺がパッケージ１２の天井部に対して高さ方向に寸法Ｃだけ下にずれている。また、各収容部３Ａ〜３Ｄにおいて右側下方の接触部２５や左側に位置する接触部２５を高さ方向や水平方向に異なる位置に配置することができる。これにより、作業者がユニット１１を誤った収容部３に収容することを防止することができる。
【００３２】
また、上記本実施の形態においては、架筐体２の前面にランプ（表示部）１３を２つ配置し、ユニット１１の左右どちらの接続部３０が接続されていないかを判断可能としたが、表示ランプ１３を３つ設け、３つの接続部３０の各々の接続状況を判断可能とすることもできる。
【００３３】
また、上記説明においては、ユニット１１の接続についてのみ説明したが、電源ユニット２１もユニット１１と同様に架筐体２に収容することができる。すなわち、図１、図２に示すように、電源ユニット２１Ａ、２１Ｂの各々は、収容部３Ｅ、３Ｆに収容されるが、その際、図８に示すように、電源ユニット２１を架筐体２の収容部３内にＸ方向に挿入し、ユニット１１の接続部３０の接続ピン４１をバックボード２０の接触部２５の接触点２５ａに当接させることができ、表示ランプ１３による電気的な接続の確認や、レバー１４による電源ユニット２１の固定などを行うことができる。
【００３４】
さらに、ユニット１１と架筐体２とを備える電子機器１について説明したが、筐体状に形成されていない架体であってもよく、ユニット１１や電源ユニット２１を収容する収容部３（３Ａ〜３Ｆ）を備える架体であれば本発明を適用することができる。
【符号の説明】
【００３５】
１ 電子機器
２ 架筐体
３（３Ａ〜３Ｆ）  収容部
１１（１１Ａ〜１１Ｄ） ユニット
１２ パッケージ
１３ 表示ランプ
１４ レバー
１５ 被ガイド部
１６ 凹部
１７ 凸部
１７ａ  曲面部
１８ シャフト
２０ バックボード
２１（２１Ａ、２１Ｂ） 電源ユニット
２２ 高輝度ＬＥＤ
２３ 光伝達部材
２５ 接触部
２５ａ  接触点
３０ 接続部
３２ 背面板
３３ 接続部ばね
３４ 接続ピンばね
３５ 接触部ガイド
４１ 接続ピン
４２ ばね保持部
【図１】
2014116525.tif 000003
【図２】
2014116525.tif 000004
【図３】
2014116525.tif 000005
【図４】
2014116525.tif 000006
【図５】
2014116525.tif 000007
【図６】
2014116525.tif 000008
【図７】
2014116525.tif 000009
【図８】
2014116525.tif 000010
【図９】
2014116525.tif 000011
【図１０】
2014116525.tif 000012